(57)【要約】【課題】ボールチェーンの操作で開閉するロールスクリーン装置のスクリーンの巻き取り時に、巻取りボックスとスクリーン下端の可動桟との間に隙間が生じないようにする。【解決手段】巻取りボックス１に回転自在に支持させた巻取り軸２を、スプロケット９に巻き掛けたボールチェーン１０の手動操作で回転させるスクリーン装置において、巻取りボックスへのスクリーン巻取り時におけるスクリーンの下端の可動桟１４の当接部位に、可動桟が嵌入可能な凹所３２を設け、その深さを、ボールチェーンのボール部材１１間の連結細条１２の長さからチェーンガイド１５の傾斜ガイド面２４の厚さを減じた長さよりも大きく、且つ、可動桟の下端部が入り込まない深さとする。これにより、ボールチェーンのボール部材をチェーンガイドに掛けた後に、ボール部材が連結細条の長さの範囲で移動しても、巻取りボックスと可動桟との間に隙間が生じない。【選択図】図１
2016106191.tif 000002
【特許請求の範囲】
【請求項１】
スクリーンを巻き付ける巻取り軸を巻取りボックス内に回転自在に支持させ、該巻取り軸の軸端に取り付けたスプロケットにボールチェーンを巻き掛け、上記巻取りボックスから導出した該ボールチェーンの手動操作により上記スプロケットを介して上記巻取り軸を回転させ、先端に可動桟を取り付けて上記巻取り軸から吊下した上記スクリーンを手動で開閉するようにした手動昇降式ロールスクリーン装置であって、
上記ボールチェーンが、多数のボール部材をそれぞれ連結細条で可撓に連結することにより構成され、上記スクリーンの巻き取りのために上記スプロケットからボールチェーンを引き出す側に配設したチェーンガイドには、該ボールチェーンの引出方向への移動は制限しないが、スプロケット側への導入方向には、該ボールチェーンがチェーンガイドから延び出している方向によって、該ボールチェーンが自由に導入される開通路と、スリット縁にボール部材が係止して移動が阻止される閉通路とが形成され、上記可動桟には、上記ボールチェーンが上記チェーンガイドの制限なく導入される開通路にあるときにスクリーンを展張する方向に巻取り軸を回転させる重量を持たせてなる手動昇降式ロールスクリーン装置において、
上記巻取りボックスにおけるスクリーンの巻き取り時に該スクリーンの下端の可動桟が当接する部位に、該可動桟の嵌入を許容する凹所を設け、該凹所の深さを、少なくとも、上記ボールチェーンにおけるボール部材間の連結細条の長さから上記チェーンガイドの傾斜ガイド面部分の厚さを減じた長さよりも大きく、且つ、可動桟の下端部が入り込まない深さとした、
ことを特徴とする自動降下を可能にした手動昇降式ロールスクリーン装置。
【請求項２】
上記チェーンガイドを、上記巻取りボックスにおけるボールチェーンをスプロケットから引き出す側に配設し、或いは、上記巻取りボックスの下位に該巻取りボックスとは別に配設したガイド用支持部材に該チェーンガイドを設けるように、該チェーンガイドの配設位置を選択可能にした、
ことを特徴とする請求項１に記載の自動降下を可能にした手動昇降式ロールスクリーン装置。
【発明の詳細な説明】
【技術分野】
【０００１】
本発明は、手動昇降式ロールスクリーン装置に関するものであり、更に具体的には、ボールチェーンを用いて手動でロールスクリーンの巻取り軸を正逆に回転させて該ロールスクリーンの昇降を行う簡易な構成の手動昇降式でありながら、該ロールスクリーンの自動降下を可能にしたロールスクリーン装置に関するものである。
【背景技術】
【０００２】
巻取り軸内に設けたコイルスプリングをスクリーンの巻き取りのための駆動源とすることなく、巻取りボックス内に回転自在に支持させたスクリーンの巻取り軸を、該巻取り軸の軸端に取り付けたスプロケットにボールチェーン等を巻き掛けて、その手動操作により回転させ、それによって上記スクリーンを手動で開閉するようにした手動昇降式ロールスクリーン装置は、ここに公知文献等を例示するまでもなく、より簡易な構成のものとして既に知られている。
【０００３】
この種の手動昇降式ロールスクリーン装置では、スクリーンを巻取り軸に巻取るときには、上記スプロケットに巻き掛けたボールチェーンの一端側を手動で引き、また、スクリーンを展張するときには、上記ボールチェーンの他端側を手動で引く必要がある。そのため、ボールチェーンの端部を選択して引く作業が面倒であるだけでなく、ボールチェーンの端部を間違えて引くと、スクリーンが巻取り軸に逆に巻取られて、絡んだり破損したりすることから、手動昇降式の簡易な構成のロールスクリーン装置でありながらも、スクリーンの昇降をより簡単に、しかも、ボールチェーンの端部を間違えることなく引けるようにすることが望まれている。
【発明の概要】
【発明が解決しようとする課題】
【０００４】
本発明の技術的課題は、手動昇降式の簡易な構成のロールスクリーン装置でもスクリーンの昇降をより簡単に行えるようにし、特に、スクリーンの巻き取りのために引き出す側のボールチェーンの操作のみによってスクリーンを昇降可能にして、ボールチェーンの端部を間違えることなく引けるようにした手動昇降式ロールスクリーン装置において、上記スクリーンの巻き取りのために引き出す側のボールチェーンの操作によって、該スクリーンの自動降下を可能にし、しかも、該スクリーンを任意の開度に安定的に保持できるようにした手動昇降式ロールスクリーン装置を提供することにある。
【課題を解決するための手段】
【０００５】
上記課題を解決するため、本発明によれば、スクリーンを巻き付ける巻取り軸を巻取りボックス内に回転自在に支持させ、該巻取り軸の軸端に取り付けたスプロケットにボールチェーンを巻き掛け、上記巻取りボックスから導出した該ボールチェーンの手動操作により上記スプロケットを介して上記巻取り軸を回転させ、先端に可動桟を取り付けて上記巻取り軸から吊下した上記スクリーンを手動で開閉するようにした手動昇降式ロールスクリーン装置であって、上記ボールチェーンが、多数のボール部材をそれぞれ連結細条で可撓に連結することにより構成され、上記スクリーンの巻き取りのために上記スプロケットからボールチェーンを引き出す側に配設したチェーンガイドには、該ボールチェーンの引出方向への移動は制限しないが、スプロケット側への導入方向には、該ボールチェーンがチェーンガイドから延び出している方向によって、該ボールチェーンが自由に導入される開通路と、スリット縁にボール部材が係止して移動が阻止される閉通路とが形成され、上記可動桟には、上記ボールチェーンが上記チェーンガイドの制限なく導入される開通路にあるときにスクリーンを展張する方向に巻取り軸を回転させる重量を持たせてなる手動昇降式ロールスクリーン装置において、上記巻取りボックスにおけるスクリーンの巻き取り時に該スクリーンの下端の可動桟が当接する部位に、該可動桟の嵌入を許容する凹所を設け、該凹所の深さを、少なくとも、上記ボールチェーンにおけるボール部材間の連結細条の長さから上記チェーンガイドの傾斜ガイド面部分の厚さを減じた長さよりも大きく、且つ、可動桟の下端部が入り込まない深さとしたことを特徴とする自動降下を可能にした手動昇降式ロールスクリーン装置が提供される。
上記構成は、巻取りボックスへのスクリーンの巻き取り時に、該巻取りボックスとスクリーンに取り付けた可動桟との間に隙間が生じて、不良品と思われる程度に見苦しくなるのを抑制するために有効なものである。
【０００６】
上記チェーンガイドを備えた手動昇降式ロールスクリーン装置においては、ボールチェーンの操作側がチェーンガイドを通して巻取りボックス内のスプロケット側へ引き込まれる方向に移動するとき、つまり、巻取り状態にあるスクリーンを巻き戻しにより展張させる場合、或いはそれが一定量以上巻き戻されないような範囲でボールチェーンをチェーンガイド内に引き込ませて保持する場合に、該ボールチェーンがチェーンガイドから延び出す方向付けによって、該ボールチェーンが自由にスプロケット側へ導入される開通路と、スリット縁にボール部材が係止してスプロケット側への移動が阻止される閉通路とのいずれの方を向くようにするかを操作者が選択する必要がある。
【０００７】
このようなボールチェーンのチェーンガイドからの延び出しの方向付けは、チェーンガイドがボールチェーンの操作位置から高さ方向に離れているほど操作が困難であり、そのため、本発明における上記チェーンガイドは、人の手が届くような比較的低い位置の窓等にスクリーン装置を設置する場合には、上記巻取りボックスに設けたチェーンガイドから直接的にボールチェーンを引き出すようにするのが望ましいが、例えば、高所の窓等にスクリーン装置を設置する場合には、上記巻取りボックスの下位で操作者に近い位置に、該巻取りボックスとは別に配設したガイド用支持部材に上記チェーンガイド設けて、そこからボールチェーンを引き出すようにするのが望ましい。
【０００８】
従って、本発明の手動昇降式ロールスクリーン装置の好ましい実施形態においては、上記チェーンガイドを、上記巻取りボックスにおけるボールチェーンをスプロケットから引き出す側に配設し、或いは、上記巻取りボックスの下位に該巻取りボックスとは別に配設したガイド用支持部材に該チェーンガイドを設けるように、該チェーンガイドの配設位置を選択可能にすることが望まれる。
【発明の効果】
【０００９】
以上に詳述した本発明の手動昇降式ロールスクリーン装置によれば、手動昇降式の簡易な構成のロールスクリーン装置でありながらも、スクリーンの昇降をより簡単に行えるようにし、特に、スクリーンの巻き取りのために引き出す側のボールチェーンの操作のみによってスクリーンを昇降可能にして、ボールチェーンの端部を間違えることなく引けるようにした手動昇降式ロールスクリーン装置において、スクリーンの巻き取りのために引き出す側のボールチェーンの操作によって、該スクリーンの自動降下を可能にし、しかも、該スクリーンの巻き取り時に巻取りボックスと可動桟との間に隙間がない状態に安定的に保持できるようにした手動昇降式ロールスクリーン装置を提供することができる。
【図面の簡単な説明】
【００１０】
【図１】本発明に係る手動昇降式ロールスクリーン装置の実施例を示す一部破断側断面図である。
【図２】同実施例の可動桟を降下させてスクリーンを張設した状態を示す同じく一部破断側断面図である。
【図３】同実施例の要部を断面によって示す正面図である。
【図４】同実施例における巻取りボックスの端部に取り付けて巻取り軸を回転させる巻取り軸駆動ユニットの構成を示す斜視図である。
【図５】（Ａ）及び（Ｂ）は、上記巻取り軸駆動ユニットのボールチェーン導出部に設けるチェーンガイドを異なる方向から見た斜視図である。
【図６】上記チェーンガイドの作用説明図である。
【図７】上記巻取り軸駆動ユニットにおいてボールチェーンを巻き掛けるスプロケットと上記チェーンガイドとの位置的関連性を示す要部説明図である。
【図８】上記チェーンガイドを、上記巻取りボックスとは別に配設したガイド用支持部材に設けた状態を示す斜視図である。
【発明を実施するための形態】
【００１１】
図１〜図４は、本発明に係る自動降下を可能にした手動昇降式ロールスクリーン装置の実施の一例を示している。この手動昇降式ロールスクリーン装置は、基本的には、ボールチェーン１０の操作による手動昇降式の簡易な構成のロールスクリーン装置として構成したものではあるが、以下に詳述する巻取りボックス１におけるボールチェーン１０の導出部に、簡単な構成のチェーンガイド１５を設けることにより、スクリーン３の巻き取りのために引き出す側のボールチェーン１０の操作のみによってスクリーン３を昇降可能として、ボールチェーン１０の端部を間違えることなく引けるようにし、しかも、上記ボールチェーン１０の操作によって、該スクリーン３の自動降下を可能にするだけでなく、該スクリーン３を任意の開度に安定的に保持できるようにしたものである。
【００１２】
上記ロールスクリーン装置の構成について具体的に説明すると、上記スクリーン３を巻き付ける巻取り軸２を内部に回転自在に支持させた巻取りボックス１は、該巻取り軸２の下部に位置して、該巻取り軸２に巻き取られているスクリーン３を下方に導出する導出口５を備え、また、該巻取りボックス１の軸線方向の両端部に、図２〜図４に示すような巻取り軸駆動ユニット７を選択的に取付可能に構成し、ボールチェーン１０によるスクリーン３の開閉操作を巻取りボックス１の左右いずれの側でも行えるように形成している。なお、図３においては、巻取りボックス１の他端側にダミー７Ａを付している。
【００１３】
上記巻取り軸駆動ユニット７は、ケース８内に巻取り軸２の軸端に一体回転するように取り付けられるスプロケット９を回転自在に収容し、該スプロケット９に巻き掛けたボールチェーン１０を、内部のチェーン通路２２から後述するチェーンガイド１５等を通して外部に導出し、該ボールチェーン１０の手動操作により該スプロケット９を介して上記巻取り軸２を回転させるようにしたものであり、上記ケース８を巻取りボックス１の端部にねじ等で取り付けるようにしている。上記巻取り軸駆動ユニット７自体は、巻取りボックス１のいずれの端部に取り付けるかによって、その端部への取り付けに適する形態に内部構造を組み替え、或いは、巻取りボックス１のそれぞれの端部に取り付けるのに適した構成のものを別設し、巻取りボックス１の取付端に適した巻取り軸駆動ユニット７を選択して、該取付端にそれを取り付けるようにすることができる。
【００１４】
なお、上述した巻取り軸駆動ユニット７を巻取りボックス１に付設することなく、巻取りボックス１自体を、その両端部に上記ケース８に相当するものを一体化したものとし、該両端部の内側に、巻取り軸２の軸端に一体回転するように取り付けられるスプロケット９を回転自在に支持させて収容可能とし、上記巻取りボックス１の一端部側に収容したスプロケット９に巻き掛けているボールチェーン１０を、チェーンガイド１５を通して外部に導出するように構成してもよく、このような構成によっても、上記スクリーン３の昇降操作の左右勝手を変更可能にすることができる。
【００１５】
上記ボールチェーン１０は、多数のボール部材１１をそれぞれ連結細条１２により一定間隔で可撓に連結することにより構成されたものであり、その連結細条１２は、以下に詳述するチェーンガイド１５に設けたところのスリット２５に挿通できるが、そのボール部材１１は、スリット縁２５ａに係止する大きさに形成される。上記ボール部材１１及び連結細条１２は、金属や合成樹脂等の硬質材でもよいが、それらに可撓の線条を挿通するなどにより、全体的に可撓のチェーン状に形成したものとすることができる。また、上記ボールチェーン１０は、両端を図１〜図４及び図６に示すような端部連結具１３，１３Ａによって連結することにより無端のループ状に形成しているが、必ずしも無端状にする必要はない。なお、図１〜図４に示している端部連結具１３は、それにより形成されているループ状のボールチェーン１０に子供らが過って身体の一部等を引っ掛けたりして、該ボールチェーン１０に一定値以上の張力が作用した場合に、該端部連結具１３自体が二つに分断して破損や危険を回避できるようにしたものである。
【００１６】
また、上記スクリーン３としては、遮光、目隠し、断熱、防虫、装飾等の使用目的に応じて適切なものを用いることができ、その先端に可動桟１４を取り付けて巻取り軸２から吊下したスクリーン３を伸展させるが、ここでは、上記ボールチェーン１０にスクリーン３を巻き上げる方向の力が全く作用せず、或いは、上記チェーンガイド１５等によりボールチェーン１０の移動が制限されたりしていないときに、該可動桟１４の重力によりスクリーン３を展張する方向に巻取り軸２を回転させるため、それに必要な重量を該可動桟１４に持たせている。なお、上記可動桟１４及びスクリーン３の左右両側端は、その両側に設けた側枠４により昇降をガイドさせている。
【００１７】
次に、上記チェーンガイド１５の具体的な構成及び作用について説明する。
上記巻取り軸駆動ユニット７において、図１及び図２から分かるように、スクリーン３の巻き取りに際して上記スプロケット９からボールチェーン１０を引き出すチェーン通路２２側に配設したチェーンガイド１５の機能は、基本的には、ボールチェーン１０のチェーン通路２２からの引出方向への移動は何ら制限しないが、スプロケット９側への導入方向には、該ボールチェーン１０がチェーンガイド１５から延び出している方向によって、該ボールチェーン１０が自由に導入される開通路としての内部通路２０と、該チェーンガイド１５に設けたスリット２５にボール部材１１が係止してその移動が阻止される閉通路２１とを形成するものである。
【００１８】
このチェーンガイド１５は、図１〜図４等に示す実施例では、上記巻取りボックス１の軸線方向の端部に設けた巻取り軸駆動ユニット７のケース８に取り付ける場合を例示しているが、上述したところから明らかなように、巻取りボックス１の軸線方向の端部に直接的に取り付けることもでき、また、図８を参照して後述するように、ガイド用支持部材７Ｂのケースに取り付けても使用できるものである。このチェーンガイド１５を上記いずれの部材に取り付けるにしても、該チェーンガイド１５自体の取付面には、取付対象面に設けた係止部１７ａ内に押入係止させる爪部１８ａや、上記取付対象面に設けた係止溝１７ｂに圧入または側方からのスライドにより係止させる係止突部１８ｂを設けると共に、上記各取付対象面には同形の係止部１７ａや係止溝１７ｂを設けて、該チェーンガイド１５をいずれの取付対象面に対しても取り付け可能に形成するのが望ましい。
【００１９】
また、上記チェーンガイド１５は、図２から分かるように、巻取り軸駆動ユニット７のケース８の下面において、スクリーン３の巻き取りのために上記スプロケット９からボールチェーン１０を引き出すチェーン通路２２側に配設するものであり、該チェーンガイド１５を通してボールチェーン１０を外部に導出するように、該チェーンガイド１５内に傾斜ガイド面２４により傾斜する内部通路２０がその上面側に形成され、該内部通路２０と巻取り軸駆動ユニット７のケース８の下面に開くチェーン通路２２とは、ボールチェーン１０の移動の障害にならないように連通させている。
【００２０】
上記チェーンガイド１５の取付位置は、それを巻取りボックス１の端部に直接に取り付ける場合や、図８のガイド用支持部材７Ｂに取り付ける場合においても同様である。
なお、上記ケース８の下面において、スクリーン３の巻き取り時にスプロケット９に向けてボールチェーン１０が導入される側には、上記ケース８に単にボールチェーン１０の挿通孔２３が設けてあればよい。図８のガイド用支持部材７Ｂにおいては、スプロケット９に向けて導入される側のボールチェーン１０は、必ずしも該ガイド用支持部材７Ｂ内に通す必要もない。
【００２１】
上記チェーンガイド１５自体は、図１、図２、並びに、図５の（Ａ）及び（Ｂ）に示しているように、上記ボールチェーン１０の引出方向及びその逆のスプロケット９側への導入方向の移動を可能にした前記開通路としての傾斜する内部通路２０を傾斜ガイド面２４上に形成している。上記チェーンガイド１５の傾斜ガイド面２４には、上記傾斜する内部通路２０の下方側に向けて開いているスリット２５が設けられているが、該スリット２５の幅はボールチェーン１０のボール部材１１の径よりも小さく、そのため、該ボールチェーン１０のチェーンガイド１５からの引出方向への移動は、上記傾斜ガイド面２４に沿う該ボール部材１１の誘導により円滑に行われる。
【００２２】
一方、上記ボールチェーン１０の上記引出方向とは逆のチェーン通路２２側への導入方向の移動は、上記傾斜ガイド面２４のスリット２５に、該傾斜ガイド面２４から垂れ下がり状態にあるボールチェーン１０のボール部材１１が係合するように、傾斜した内部通路２０側に開いているので、ボールチェーン１０の連結細条１２が該スリット２５内に通されることにより、そのスリット縁２５ａが上記ボール部材１１に係止することになり、つまり、ボールチェーン１０が前記閉通路２１において上記スプロケット９側への導入方向への移動が阻止される。
【００２３】
しかしながら、上記ボールチェーン１０の移動に際し、該ボールチェーンが上記傾斜ガイド面２４のスリット２５にボールチェーン１０の連結細条１２が通らない方向に向けられている場合、つまり、連結細条１２がスリット２５に向かうことなく、傾斜ガイド面２４上を通過するように、操作者がチェーンガイド１５から導出されているボールチェーン１０の向きを調整している場合には、該ボールチェーン１０が上記逆方向の移動を阻止されることはなく、操作者がボールチェーン１０の上記向きの調整を行いながら該ボールチェーン１０の繰り出しを行うと、スクリーン３に作用する可動桟１４の重力により該スクリーンが展張する方向に繰り出される。
【００２４】
このようなボールチェーン１０の操作は、巻取り状態にあるスクリーン３を巻き戻しにより展張させる場合、或いは、それが一定量以上巻き戻されないような範囲でボールチェーン１０をチェーンガイド１５内に引き込ませてスクリーン３を所望の開度に保持する場合に、該ボールチェーン１０がチェーンガイド１５から延び出す方向付けによって、該ボールチェーン１０が自由にスプロケット９側へ導入される開通路と、スリット縁にボール部材が係止してスプロケット側への移動が阻止される閉通路とのいずれの方を向くようにするかを操作者が選択する場合に、その選択を簡易に行うことができるものである。
【００２５】
このようなボールチェーン１０のチェーンガイド１５からの延び出しの方向付けは、チェーンガイド１５がボールチェーン１０の操作位置から離れているほど、例えば、チェーンガイド１５を備えた巻取りボックス１が高所の窓等に設置されている場合などに、その操作が困難であり、そのため、人の手が届くような比較的低い位置の窓等にスクリーン装置を設置する場合には、上記実施例のように、巻取りボックス自体に上記チェーンガイド１５を配設しておけばよいが、上述の高所の窓等にスクリーン装置を設置する場合には、図８において示しているようなガイド用支持部材７Ｂを用い、それを上記巻取りボックス１の下位で操作者に近い位置に巻取りボックスとは別に配設するのが望まれる。
【００２６】
この場合には、上記巻取りボックス１にチェーンガイド１５を設けることなく、巻取り軸駆動ユニット７のケース８の下面に開くチェーン通路２２からボールチェーン１０を直接導出したうえで、それをガイド用支持部材７Ｂに挿通し、該ガイド用支持部材７Ｂにおけるボールチェーン１０の導出口に設けた上記チェーンガイド１５の内部通路２０を通してボールチェーン１０を導出することになる。これにより、チェーンガイド１５の配設位置を選択することができる。
【００２７】
上記スクリーン装置においては、スクリーン３の展張のために上記ボールチェーン１０が上記ケース８内のスプロケット９から引き出される挿通孔２３側においては、スクリーン３の先端に設けた可動桟１４の重力で巻取り軸２が回転することから、図６から分かるように、引き出されるべきボールチェーン１０のボール部材１１が、スプロケット９の回転に随伴して該スプロケット９のチェーン受け溝９ａに嵌入したままで、ケース８の下面に開くチェーン通路２２側へ引き込まれ、スプロケット９の回転を停止させるなどのトラブルが発生する可能性がある。このトラブルを抑止するため、上記チェーンガイド１５には、図５及び図７に明瞭に示すように、上記スプロケット９のチェーン受け溝９ａ内に突出する抑止部片２７を一体に付設している。これにより、ボールチェーン１０のボール部材１１がスプロケット９のチェーン受け溝９ａに嵌入したままでケース８の上記チェーン通路２２側へ引き込まれのを抑止することができる。
【００２８】
更に、上記スクリーン装置においては、スクリーン３をその先端に設けた可動桟１４の重量により展張させるが、その場合に、巻取り軸２の回転速度が次第に増大し、可動桟１４が建物開口部等の下部のスクリーン枠等に衝突して大きな衝撃を与えたり、大きな衝突音を発生したりする可能性がある。これを抑制する場合には、上記スクリーン３の巻取り軸２の一端を巻取りボックス１に回転自在に支持させ、該巻取り軸２の他方の軸端をオイルダンパー３０を介して上記巻取りボックス１に固定的に支持させればよい。
【００２９】
なお、単純に巻取り軸２と巻取りボックス１との間に上記オイルダンパー３０を介在させると、スクリーン３の展張時だけではなく、巻き上げ時にも該オイルダンパー３０による緩衝作用でボールチェーン１０の操作に必要以上の大きな力を要することになるが、これを避けるためには、上記オイルダンパー３０に一方向クラッチを付設し、スクリーン３の展張時だけに上記オイルダンパー３０が機能するようにすればよい。巻取り軸２の軸端の巻取り軸駆動ユニット７の取付位置を他端側に変更することにより、スクリーン３の昇降操作の左右勝手を変更する場合には、スクリーン３の展張時に該オイルダンパー３０を機能させるように形成する必要がある。
【００３０】
また、上記スクリーン装置においては、巻取りボックス１内の巻取り軸２へのスクリーン３の巻き取り時に、その巻取状態を保持させるには、図１に示すように、ボールチェーン１０におけるボール部材１１の一つをチェーンガイド１５における傾斜ガイド面２４のスリット２５により係止させておく必要があるが、このボール部材１１をスリット２５に係止させるとき、該ボール部材がスリット縁２５ａに当接するまでに、最大で、ボールチェーン１０における連結細条１２の長さからチェーンガイド１５の傾斜ガイド面２４の部分の厚さを減じた長さだけ、ボールチェーン１０が移動することになる。このボールチェーン１０の移動は、図１中に鎖線で示す可動桟１４の上昇位置から、上記長さだけ可動桟１４を下降させることになり、上記可動桟１４が巻取りボックス１の下面に当接するような位置にある場合には、その距離だけ該巻取りボックス１とスクリーン３に取り付けた可動桟１４との間に隙間が生じ、外観が見苦しくなる可能性がある。
【００３１】
この隙間が生じるのを回避するため、上記巻取りボックス１においては、スクリーン３を下方に導出する導出口５内に、スクリーン３の巻き取り時に該スクリーン３の下端の可動桟１４の部分的な嵌入を許容する凹所３２を設けると共に、上記導出口５の周囲に可動桟１４が当接する部位を設け、可動桟１４には、該部位に当接して上記凹所３２内に可動桟１４が完全に没入するのを抑止する当接部１４ａを設けている。可動桟１４が該当接部１４ａにより上記凹所３２に嵌入できる深さは、少なくとも、上記ボールチェーン１０におけるボール部材１１間の連結細条１２の長さから、上記チェーンガイド１５の傾斜ガイド面２４の部分の厚さを減じた長さよりも大きくする必要がある。また、可動桟１４には当接部１４ａを設けているので、その下端部が上記凹所３２内に入り込むことはない。
【符号の説明】
【００３２】
１      巻取りボックス
２      巻取り軸
３      スクリーン
９      スプロケット
１０      ボールチェーン
１１      ボール部材
１２      連結細条
１４      可動桟
１５      チェーンガイド
２０      内部通路（開通路）
２１      閉通路
２４      傾斜ガイド面
２５ａ    スリット縁
３２      凹所
【図１】
2016106191.tif 000003
【図２】
2016106191.tif 000004
【図３】
2016106191.tif 000005
【図４】
2016106191.tif 000006
【図５】
2016106191.tif 000007
【図６】
2016106191.tif 000008
【図７】
2016106191.tif 000009
【図８】
2016106191.tif 000010